(57)【要約】【課題】コネクタハウジング相互の嵌合・離脱を繰り返してもロック片の摩耗によって操作フィーリングが低下することを防止して、操作フィーリングの低下に起因した嵌合不良の発生を防止することのできるコネクタハウジングを提供すること。【解決手段】一方のコネクタハウジングに装備されて他方のコネクタハウジングの係止部１２０と係合するロック片３は、コネクタハウジング相互の嵌合途中で係止部１２０が摺動するテーパ面３１と湾曲面３４と係止部案内面３２の表面を、フッ素ドープ酸化スズ膜３５で覆っている。【選択図】図２
2017027732.tif 000002
【特許請求の範囲】
【請求項１】
コネクタハウジング相互の嵌合方向に対して傾斜して一方のコネクタハウジングに設けられて、コネクタハウジング相互の嵌合途中に衝突する他方のコネクタハウジングの係止部との間に前記嵌合方向と直交する方向の相対変位を生ぜしめるテーパ面と、
前記テーパ面の後端から前記嵌合方向に沿って後方に延出して前記テーパ面を超えた前記係止部が摺動する係止部案内面と、
前記係止部案内面の後端に凹んで形成されて、コネクタハウジング相互の嵌合長が所定値に達したときに前記係止部が係合する段差部と、
を備えて、コネクタハウジング相互の嵌合長が所定値に達したときに前記係止部との係合によってコネクタハウジング相互の結合をロックするロック片を有するコネクタハウジングであって、
前記テーパ面と前記係止部案内面との交差部には、前記係止部の係合途中における操作フィーリングの変化を抑止する滑らかな湾曲面を備え、
更に、前記テーパ面と前記湾曲面と前記係止部案内面の表面が、耐摩耗性を有する材料の膜で覆われたことを特徴とするコネクタハウジング。
【請求項２】
前記材料は、フッ素ドープ酸化スズであることを特徴とする請求項１に記載のコネクタハウジング。
【発明の詳細な説明】
【技術分野】
【０００１】
本発明は、コネクタハウジングに関する。
【背景技術】
【０００２】
図３及び図４は、下記特許文献１に開示されたコネクタハウジング相互のロック構造と同様なロック構造を示したものである。
【０００３】
このロック構造は、コネクタハウジング相互の嵌合長が所定値に達したときに、一方のコネクタハウジングに装備されたロック片１１０と、他方のコネクタハウジングに装備された係止部１２０との係合によって、コネクタハウジング相互の結合状態をロックするものである。
【０００４】
ロック片１１０や係止部１２０は、それぞれのコネクタハウジングと同一の樹脂材料で、それぞれのコネクタハウジングに一体形成されている。
【０００５】
ロック片１１０は、コネクタハウジング相互の嵌合方向（図３の矢印Ｘ１方向）の先端側から順に、テーパ面１１１と、係止部案内面１１２と、段差部１１３と、を備えている。
【０００６】
テーパ面１１１は、コネクタハウジング相互の嵌合方向に対して後傾に傾斜して設けられた斜面である。このテーパ面１１１は、コネクタハウジング相互の嵌合途中に衝突する係止部１２０との間に嵌合方向と直交する方向（図３の矢印Ｙ１，Ｙ２方向）の相対変位を生ぜしめる。
【０００７】
係止部案内面１１２は、テーパ面１１１の後端から嵌合方向に沿って後方に延出した平坦面で、テーパ面１１１を超えた係止部１２０が摺動する。
【０００８】
段差部１１３は、係止部案内面１１２の後端に凹んで形成されて、コネクタハウジング相互の嵌合長が所定値に達したときに、図４に示すように、係止部１２０が係合する。この段差部１１３は、係止部１２０の戻り方向への移動を規制し、コネクタハウジング相互の結合状態をロックする。
【０００９】
ロック片１１０におけるテーパ面１１１と係止部案内面１１２との交差部には、係止部１２０の係合途中における操作フィーリングの変化を抑止する滑らかな湾曲面Ｒ１を備えている。湾曲面Ｒ１は、テーパ面１１１と係止部案内面１１２とを、半径ｒの円弧面で繋いでいる。
【先行技術文献】
【特許文献】
【００１０】
【特許文献１】特開２００３−２７２７７０号公報
【発明の概要】
【発明が解決しようとする課題】
【００１１】
ところで、樹脂製のロック片１１０は、コネクタハウジング相互の嵌合や離脱を繰り返すと、係止部１２０の摺動により摩耗が進行し、湾曲面Ｒ１が削られてしまうため、操作フィーリングが初期と比べて著しく低下してしまうことがある。
【００１２】
その結果、係止部１２０が湾曲面Ｒ１の部位を通過する際に、従来では発生していなかった衝撃的な感触が発生し、嵌合完了時の衝撃的な感触と誤認して、嵌合不良の状態（中途嵌合状態）で嵌合操作を終了してしまうおそれがあった。
【００１３】
そこで、本発明の目的は、上記課題を解消することに係り、コネクタハウジング相互の嵌合・離脱を繰り返してもロック片の摩耗によって操作フィーリングが低下することを防止して、操作フィーリングの低下に起因した嵌合不良の発生を防止することのできるコネクタハウジングを提供することにある。
【課題を解決するための手段】
【００１４】
本発明の前述した目的は、下記の構成により達成される。
（１）コネクタハウジング相互の嵌合方向に対して傾斜して一方のコネクタハウジングに設けられて、コネクタハウジング相互の嵌合途中に衝突する他方のコネクタハウジングの係止部との間に前記嵌合方向と直交する方向の相対変位を生ぜしめるテーパ面と、
前記テーパ面の後端から前記嵌合方向に沿って後方に延出して前記テーパ面を超えた前記係止部が摺動する係止部案内面と、
前記係止部案内面の後端に凹んで形成されて、コネクタハウジング相互の嵌合長が所定値に達したときに前記係止部が係合する段差部と、
を備えて、コネクタハウジング相互の嵌合長が所定値に達したときに前記係止部との係合によってコネクタハウジング相互の結合をロックするロック片を有するコネクタハウジングであって、
前記テーパ面と前記係止部案内面との交差部には、前記係止部の係合途中における操作フィーリングの変化を抑止する滑らかな湾曲面を備え、
更に、前記テーパ面と前記湾曲面と前記係止部案内面の表面が、耐摩耗性を有する材料の膜で覆われたことを特徴とするコネクタハウジング。
【００１５】
（２）  前記材料は、フッ素ドープ酸化スズであることを特徴とする上記（１）に記載のコネクタハウジング。
【００１６】
上記（１）の構成によれば、他方のコネクタハウジングの係止部が摺動するテーパ面と係止部案内面の表面を覆う耐摩耗性を有する材料は、コネクタハウジングに使用されている樹脂材料と比較して、耐摩耗性が高く、また、摩擦係数も小さい。
【００１７】
そのため、コネクタハウジング相互の嵌合・離脱を繰り返しても、ロック片の摺動部の摩耗を抑止して、摺動部の摩耗によって操作フィーリングが低下することを防止することができる。従って、操作フィーリングの低下に起因した嵌合不良の発生を防止することができる。
【００１８】
上記（２）の構成によれば、耐摩耗性を有する材料がフッ素ドープ酸化スズであるので、コネクタハウジングに使用されている樹脂材料と比較して、耐摩耗性が高く、また、摩擦係数も小さい。
【００１９】
そのため、コネクタハウジング相互の嵌合・離脱を繰り返しても、ロック片の摺動部の摩耗を抑止して、摺動部の摩耗によって操作フィーリングが低下することを防止することができる。従って、操作フィーリングの低下に起因した嵌合不良の発生を防止することができる。
【発明の効果】
【００２０】
本発明によるコネクタハウジングによれば、コネクタハウジング相互の嵌合・離脱を繰り返してもロック片の摩耗によって操作フィーリングが低下することを防止して、操作フィーリングの低下に起因した嵌合不良の発生を防止することができる。
【００２１】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００２２】
【図１】図１は本発明に係るコネクタハウジングの一実施形態を備えたコネクタの断面図である。
【図２】図２は本発明に係るコネクタハウジングのロック片の一実施形態の側面図である。
【図３】図３は従来のコネクタハウジングのロック片と係止部との係合前の状態を示す側面図である。
【図４】図４は図３に示したロック片と係止部とが係合した状態の側面図である。
【図５】図５は図３のＡ部の拡大図である。
【発明を実施するための形態】
【００２３】
以下、本発明に係るコネクタハウジングの好適な実施形態について、図面を参照して詳細に説明する。
【００２４】
図１は、本発明に係るコネクタハウジングの一実施形態を備えたコネクタの断面図である。コネクタ１０は、雄端子（図示せず）を収容する一方のコネクタハウジング１２と、雌端子（図示せず）を収容する他方のコネクタハウジング１４とを有する。
【００２５】
一方のコネクタハウジング１２の上面には、ロック片３が設けられている。他方のコネクタハウジング１４の上面には、ロック片３と係合する係止部１２０を備えた可撓アーム１６が設けられている。
【００２６】
両コネクタハウジング１２，１４が完全に嵌合した状態では、可撓アーム１６の係止部１２０がロック片３に係合することで、両コネクタハウジング１２，１４の嵌合状態が保持される。
【００２７】
図２は、本発明に係るコネクタハウジング１２のロック片３の一実施形態の側面図である。
【００２８】
この一実施形態のコネクタハウジング１２のロック片３は、嵌合方向（図２の矢印Ｘ４方向）の先端側から順に、テーパ面３１と、係止部案内面３２と、段差部３３と、を備えている。
【００２９】
テーパ面３１は、コネクタハウジング相互の嵌合方向に対して後傾に傾斜して設けられた斜面である。このテーパ面３１は、コネクタハウジング相互の嵌合途中で衝突する他方のコネクタハウジングの係止部１２０との間に、嵌合方向と直交する方向（図２における矢印Ｙ３，Ｙ４方向）の相対変位を生ぜしめる。
【００３０】
係止部案内面３２は、テーパ面３１の後端から嵌合方向に沿って後方に延出して、コネクタハウジング相互の嵌合操作によってテーパ面３１を超えた係止部１２０が、その後の嵌合操作に応じて、段差部３３側に摺動する平坦面である。
【００３１】
段差部３３は、係止部案内面３２の後端に凹んで形成された段差で、コネクタハウジング相互の嵌合長が所定値に達したときに係止部１２０が係合する。
【００３２】
以上に説明したロック片３は、コネクタハウジング相互の嵌合長が所定値に達したときに、係止部１２０との係合によってコネクタハウジング相互の結合をロックする。
【００３３】
本実施形態のロック片３では、テーパ面３１と係止部案内面３２との交差部には、係止部１２０の係合途中における操作フィーリングの変化を抑止する滑らかな半径ｒの湾曲面３４を備えている。
【００３４】
また、本実施形態のロック片３の場合、係止部１２０が摺動するテーパ面３１と湾曲面３４と係止部案内面３２の表面は、フッ素ドープ酸化スズ膜（ＦＴＯ膜）３５で覆われている。
【００３５】
テーパ面３１と湾曲面３４と係止部案内面３２の表面にフッ素ドープ酸化スズを薄板状に設けるには、例えば、スプレー熱分解（ＳＰＤ：Spray Pyrolysis Deposition）法により設けることができる。ＳＰＤ法はよく知られているように、基材を成膜温度まで加熱し、そこに向けて霧化器等の噴霧手段を用いて膜の原料となる溶液を噴霧することにより、反応初期には、基材表面に付着した液滴中の溶媒の蒸発と、溶質の熱分解に続く加水分解反応および熱酸化反応することにより結晶を形成させ、反応が進むにつれその結晶上に、液滴が付着し、液滴中の溶媒蒸発と共に、溶質および下部の結晶間で結晶成長を進行させ、薄膜を形成する方法である。ＳＰＤ法を採用することにより、なおフッ素ドープ酸化スズは、ＳＰＤ法以外にも公知の方法を採用し、形成することができる。
【００３６】
フッ素ドープ酸化スズは、金や銀と比較して材料コストが低い。また、フッ素ドープ酸化スズの膜（ＦＴＯ膜）は、スズ（Ｓｎ）の純金属と比較すると体積抵抗率が一桁小さく、金や銀と比較してもそれほど遜色のない優れた導電性を有している。また、フッ素ドープ酸化スズは、導電性の温度依存度が低く、耐食性や耐摩耗性も優れていて、優れた耐久性を示す。
【００３７】
以上に説明したコネクタハウジングのロック片３の場合、他方のコネクタハウジングの係止部１２０が摺動するテーパ面３１と係止部案内面３２の表面を覆うフッ素ドープ酸化スズ膜３５は、コネクタハウジングに使用されている樹脂材料と比較して、耐摩耗性が高く、また、摩擦係数も小さい。
【００３８】
そのため、コネクタハウジング相互の嵌合・離脱を繰り返しても、ロック片の摺動部の摩耗を抑止して、摺動部の摩耗によって操作フィーリングが低下することを防止することができる。従って、操作フィーリングの低下に起因した中途嵌合等の嵌合不良の発生を防止することができる。
【００３９】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４０】
ここで、上述した本発明に係るコネクタハウジングの実施形態の特徴をそれぞれ以下［１］〜［２］に簡潔に纏めて列記する。
【００４１】
［１］）  コネクタハウジング相互の嵌合方向に対して傾斜して一方のコネクタハウジングに設けられて、コネクタハウジング相互の嵌合途中に衝突する他方のコネクタハウジングの係止部（１２０）との間に前記嵌合方向と直交する方向の相対変位を生ぜしめるテーパ面（３１）と、
前記テーパ面（３１）の後端から前記嵌合方向に沿って後方に延出して前記テーパ面（３１）を超えた前記係止部（１２０）が摺動する係止部案内面（３２）と、
前記係止部案内面（３２）の後端に凹んで形成されて、コネクタハウジング相互の嵌合長が所定値に達したときに前記係止部（１２０）が係合する段差部（３３）と、
を備えて、コネクタハウジング相互の嵌合長が所定値に達したときに前記係止部（１２０）との係合によってコネクタハウジング相互の結合をロックするロック片（３）を有するコネクタハウジング（１２）であって、
前記テーパ面（３１）と前記係止部案内面（３２）との交差部には、前記係止部（１２０）の係合途中における操作フィーリングの変化を抑止する滑らかな湾曲面（３４）を備え、
更に、前記テーパ面（３１）と前記湾曲面（３４）と前記係止部案内面（３２）の表面が、耐摩耗性を有する材料の膜（フッ素ドープ酸化スズ膜（３５））で覆われたことを特徴とするコネクタハウジング（１２）。
【００４２】
［２］  前記材料は、フッ素ドープ酸化スズであることを特徴とする上記［１］に記載のコネクタハウジング（１）。
【符号の説明】
【００４３】
３  ロック片
３１  テーパ面
３２  係止部案内面
３３  段差部
３４  湾曲面
３５  フッ素ドープ酸化スズ膜
１２０  係止部
【図１】
2017027732.tif 000003
【図２】
2017027732.tif 000004
【図３】
2017027732.tif 000005
【図４】
2017027732.tif 000006
【図５】
2017027732.tif 000007